(57)【要約】  ＷＬＡＮシステムおよびＡＮＴシステムの動作を協調させるためのシステムおよび方法が開示される。共存マネージャは、干渉の可能性を低減するために、ＡＮＴトランシーバの動作モードを決定し、その動作モードに基づいて、ＡＮＴトランシーバおよびＷＬＡＮトランシーバを選択的に有効および無効にすることができる。
2016511996.tif 000002
【特許請求の範囲】
【請求項１】
ワイヤレス通信デバイスであって、
第１のワイヤレスプロトコルを使用する第１のワイヤレスプロトコルトランシーバと、
第２のワイヤレスプロトコルを使用する第２のワイヤレスプロトコルトランシーバと、
前記第２のワイヤレスプロトコルトランシーバの動作モードに少なくとも部分的に基づいて、前記第１のワイヤレスプロトコルトランシーバと前記第２のワイヤレスプロトコルトランシーバとの間で有効にされるための優先権を選択的に付与する共存マネージャとを備え、
ここにおいて、前記第２のワイヤレスプロトコルが、ブロードキャスト動作モードと、バースト動作モードと、スキャン動作モードとを含む低電力ワイヤレスプロトコルである、ワイヤレス通信デバイス。
【請求項２】
前記共存マネージャは、前記第２のワイヤレスプロトコルトランシーバが、前記ブロードキャスト動作モードで動作している場合、前記第２のワイヤレスプロトコルトランシーバに優先権を付与する、請求項１に記載のワイヤレス通信デバイス。
【請求項３】
前記第２のワイヤレスプロトコルトランシーバが、前記バースト動作モードで動作しており、および
前記共存マネージャが、前記バースト動作モードに対応する拡張されたブロードキャストタイムスロットの持続期間が閾値を下回ると決定し、ここにおいて、第１の時間期間が、前記拡張されたブロードキャストタイムスロットの前記持続期間に対応する、場合、
前記共存マネージャは、前記第１の時間期間の間、前記第２のワイヤレスプロトコルトランシーバに優先権を付与する、請求項１に記載のワイヤレス通信デバイス。
【請求項４】
前記共存マネージャは、
前記第２のワイヤレスプロトコルトランシーバが、前記バースト動作モードで動作しており、および
前記共存マネージャが、前記バースト動作モードに対応する拡張されたブロードキャストタイムスロットの持続期間が閾値を上回ると決定する、場合、
第１の時間期間の間、前記第１のワイヤレスプロトコルトランシーバに優先権を付与し、
第２の時間期間の間、前記第２のワイヤレスプロトコルトランシーバに優先権を付与し、ここにおいて、前記第１の時間期間が、前記第２の時間期間に先行し、前記第２の時間期間が、前記拡張されたブロードキャストタイムスロットの前記持続期間に対応する、
請求項１に記載のワイヤレス通信デバイス。
【請求項５】
前記第１のワイヤレスプロトコルトランシーバは、前記第１の時間期間中に、省電力の動作モードに入る、請求項４に記載のワイヤレス通信デバイス。
【請求項６】
前記第２のワイヤレスプロトコルトランシーバが、スキャン動作モードで動作している場合、前記共存マネージャは、交互の時間期間の間、前記第１のワイヤレスプロトコルトランシーバと前記第２のワイヤレスプロトコルトランシーバとの間で優先権を付与するように構成され、ここにおいて、前記交互の時間期間の各時間期間は、第１の持続期間と第２の持続期間とのうちの一方を有し、その結果、前記共存マネージャが、前記第１の持続期間を有する前記交互の時間期間の各時間期間の間、前記第２のワイヤレスプロトコルトランシーバに優先権を付与し、ここにおいて、前記第１の持続期間が、ブロードキャスト送信間隔に対応する、請求項１に記載のワイヤレス通信デバイス。
【請求項７】
前記共存マネージャは、前記第２のワイヤレスプロトコルトランシーバが、スキャン動作モードで動作しているとき、交互の時間期間の間、前記第１のワイヤレスプロトコルトランシーバと前記第２のワイヤレスプロトコルトランシーバとの間で優先権を付与し、その結果、前記共存マネージャは、ブロードキャスト送信間隔に対応する位相間隔の後の前記交互の時間期間における位相シフトをさらに提供する、請求項１に記載のワイヤレス通信デバイス。
【請求項８】
第１のワイヤレスプロトコルを使用する第１のワイヤレスプロトコルトランシーバと第２のワイヤレスプロトコルを使用する第２のワイヤレスプロトコルトランシーバとを含むデバイスにおけるワイヤレス通信のための方法であって、
前記第２のワイヤレスプロトコルトランシーバの動作モードを決定することと、
前記第２のワイヤレスプロトコルトランシーバの前記動作モードに少なくとも部分的に基づいて、前記第１のワイヤレスプロトコルトランシーバと前記第２のワイヤレスプロトコルトランシーバとの間で有効にされるための優先権を付与することと
を備え、
ここにおいて、前記第２のワイヤレスプロトコルが、ブロードキャスト動作モードと、バースト動作モードと、スキャン動作モードとを含む低電力ワイヤレスプロトコルである、方法。
【請求項９】
前記第２のワイヤレスプロトコルトランシーバが、ブロードキャスト動作モードで動作している場合、前記第２のワイヤレスプロトコルトランシーバに優先権を付与することをさらに備える、請求項８に記載の方法。
【請求項１０】
前記第２のワイヤレスプロトコルトランシーバが前記バースト動作モードで動作している場合、拡張されたブロードキャストタイムスロットの持続期間を決定することと、前記持続期間が閾値を下回る場合、第１の時間期間の間、前記第２のワイヤレスプロトコルトランシーバに優先権を付与することと
をさらに備え、ここにおいて、前記第１の時間期間が、前記拡張されたブロードキャストタイムスロットの前記持続期間に対応する、請求項８に記載の方法。
【請求項１１】
前記第２のワイヤレスプロトコルトランシーバが前記バースト動作モードで動作しているとき、拡張されたブロードキャストタイムスロットの持続期間を決定することと、
前記持続期間が閾値を上回る場合、第１の時間期間の間、前記第１のワイヤレスプロトコルトランシーバに優先権を付与することと、
第２の時間期間の間、前記第２のワイヤレスプロトコルトランシーバに優先権を付与することと
をさらに備え、ここにおいて、前記第１の時間期間が、前記第２の時間期間に先行し、前記第２の時間期間が、前記拡張されたブロードキャストタイムスロットの前記持続期間に対応する、請求項８に記載の方法。
【請求項１２】
前記第１の時間期間中に、前記第１のワイヤレスプロトコルトランシーバで省電力の動作モードに入ることをさらに備える、請求項１１に記載の方法。
【請求項１３】
前記第２のワイヤレスプロトコルトランシーバが、スキャン動作モードで動作している場合、交互の時間期間の間、前記第１のワイヤレスプロトコルトランシーバと前記第２のワイヤレスプロトコルトランシーバとの間で優先権を付与することをさらに含み、ここにおいて、前記交互の時間期間の各時間期間は、第１の持続期間と第２の持続期間とのうちの一方を有し、その結果、前記第１の持続期間を有する前記交互の時間期間の各時間期間の間、前記第２のワイヤレスプロトコルトランシーバに優先権が付与され、ここにおいて、前記第１の持続期間が、ブロードキャスト送信間隔に対応する、請求項８に記載の方法。
【請求項１４】
前記第２のワイヤレスプロトコルトランシーバが、前記スキャン動作モードで動作しているとき、交互の時間期間の間、前記第１のワイヤレスプロトコルトランシーバと前記第２のワイヤレスプロトコルトランシーバとの間で優先権を付与することと、ブロードキャスト送信間隔に対応する位相間隔の後の前記交互の時間期間における位相シフトを提供することとをさらに備える、請求項８に記載の方法。
【請求項１５】
第１のワイヤレスプロトコルを使用する第１のワイヤレスプロトコルトランシーバと第２のワイヤレスプロトコルを使用する第２のワイヤレスプロトコルトランシーバとを有するワイヤレス通信デバイスを動作させるための非一時的なプロセッサ可読記憶媒体であって、前記プロセッサ可読記憶媒体が、その上に命令を有し、前記命令が、
前記第２のワイヤレスプロトコルトランシーバの動作モードを決定するためのコードと、
前記第２のワイヤレスプロトコルトランシーバの前記動作モードに基づいて、前記第１のワイヤレスプロトコルトランシーバと前記第２のワイヤレスプロトコルトランシーバとの間で有効にされるための優先権を付与するためのコードと
を備え、
ここにおいて、前記第２のワイヤレスプロトコルが、ブロードキャスト動作モードと、バースト動作モードと、スキャン動作モードとを含む低電力ワイヤレスプロトコルである、プロセッサ可読記憶媒体。
【請求項１６】
前記第２のワイヤレスプロトコルトランシーバが、ブロードキャスト動作モードで動作している場合、前記第２のワイヤレスプロトコルトランシーバに優先権を付与するためのコードをさらに備える、請求項１５に記載のプロセッサ可読記憶媒体。
【請求項１７】
前記第２のワイヤレスプロトコルトランシーバが、前記バースト動作モードで動作している場合、拡張されたブロードキャストタイムスロットの持続期間を決定するためのコードと、
前記持続期間が閾値を下回る場合、第１の時間期間の間、前記第２のワイヤレスプロトコルトランシーバに優先権を付与するためのコードと
をさらに備え、ここにおいて、前記第１の時間期間が、前記拡張されたブロードキャストタイムスロットの前記持続期間に対応する、請求項１５に記載のプロセッサ可読記憶媒体。
【請求項１８】
前記第２のワイヤレスプロトコルトランシーバが、前記バースト動作モードで動作しているとき、拡張されたブロードキャストタイムスロットの持続期間を決定するためのコードと、
前記持続期間が閾値を上回る場合、第１の時間期間の間、前記第１のワイヤレスプロトコルトランシーバに優先権を付与するためのコードと、
第２の時間期間の間、前記第２のワイヤレスプロトコルトランシーバに優先権を付与するためのコードと
をさらに備え、ここにおいて、前記第１の時間期間が、前記第２の時間期間に先行し、前記第２の時間期間が、前記拡張されたブロードキャストタイムスロットの前記持続期間に対応する、請求項１５に記載のプロセッサ可読記憶媒体。
【請求項１９】
前記第１の時間期間中に、前記第１のワイヤレスプロトコルトランシーバで省電力の動作モードに入るためのコードをさらに備える、請求項１８に記載のプロセッサ可読記憶媒体。
【請求項２０】
前記第２のワイヤレスプロトコルトランシーバが、前記スキャン動作モードで動作している場合、交互の時間期間の間、前記第１のワイヤレスプロトコルトランシーバと前記第２のワイヤレスプロトコルトランシーバとの間で優先権を付与するためのコードをさらに備え、ここにおいて、前記交互の時間期間の各時間期間は、第１の持続期間と第２の持続期間とのうちの一方を有し、その結果、前記第１の持続期間を有する前記交互の時間期間の各期間の間、前記第２のワイヤレスプロトコルトランシーバに優先権が付与され、ここにおいて、前記第１の持続期間が、ブロードキャスト送信間隔に対応する、請求項１５に記載のプロセッサ可読記憶媒体。
【請求項２１】
前記第２のワイヤレスプロトコルトランシーバが、前記スキャン動作モードで動作しているとき、交互の時間期間の間、前記第１のワイヤレスプロトコルトランシーバと前記第２のワイヤレスプロトコルトランシーバとの間で優先権を付与し、ブロードキャスト送信間隔に対応する位相間隔の後の前記交互の時間期間における位相シフトを提供するためのコードをさらに備える、請求項１５に記載のプロセッサ可読記憶媒体。
【請求項２２】
ワイヤレス通信デバイスであって、
第１のワイヤレスプロトコルを使用する第１のワイヤレスプロトコルトランシーバと、
第２のワイヤレスプロトコルを使用する第２のワイヤレスプロトコルトランシーバと、
前記第２のワイヤレスプロトコルトランシーバの動作モードに少なくとも部分的に基づいて、前記第１のワイヤレスプロトコルトランシーバと前記第２のワイヤレスプロトコルトランシーバとの間で有効にされるための優先権を選択的に付与するための手段と
を備え、
ここにおいて、前記第２のワイヤレスプロトコルが、ブロードキャスト動作モードと、バースト動作モードと、スキャン動作モードとを含む低電力ワイヤレスプロトコルである、ワイヤレス通信デバイス。
【請求項２３】
優先権を選択的に付与するための前記手段は、前記第２のワイヤレスプロトコルトランシーバが、前記ブロードキャスト動作モードで動作している場合、前記第２のワイヤレスプロトコルトランシーバに優先権を付与する、請求項２２に記載のワイヤレス通信デバイス。
【請求項２４】
優先権を選択的に付与するための前記手段は、
前記第２のワイヤレスプロトコルトランシーバが、前記バースト動作モードで動作しており、および
優先権を選択的に付与するための前記手段が、前記バースト動作モードに対応する拡張されたブロードキャストタイムスロットの持続期間が閾値を下回ると決定する、場合、
第１の時間期間の間、前記第２のワイヤレスプロトコルトランシーバに優先権を付与し、
ここにおいて、前記第１の時間期間が、前記拡張されたブロードキャストタイムスロットの前記持続期間に対応する、請求項２２に記載のワイヤレス通信デバイス。
【請求項２５】
優先権を選択的に付与するための前記手段は、
前記第２のワイヤレスプロトコルトランシーバが、前記バースト動作モードで動作しており、および
優先権を選択的に付与するための前記手段が、前記バースト動作モードに対応する拡張されたブロードキャストタイムスロットの持続期間が閾値を上回ると決定する、場合、
第１の時間期間の間、前記第１のワイヤレスプロトコルトランシーバに優先権を付与し、
第２の時間期間の間、前記第２のワイヤレスプロトコルトランシーバに優先権を付与し、
ここにおいて、前記第１の時間期間が、前記第２の時間期間に先行し、前記第２の時間期間が、前記拡張されたブロードキャストタイムスロットの前記持続期間に対応する、請求項２２に記載のワイヤレス通信デバイス。
【請求項２６】
前記第１のワイヤレスプロトコルトランシーバは、前記第１の時間期間中に、省電力の動作モードに入る、請求項２５に記載のワイヤレス通信デバイス。
【請求項２７】
前記第２のワイヤレスプロトコルトランシーバが、前記スキャン動作モードで動作している場合、優先権を選択的に付与するための前記手段は、交互の時間期間の間、前記第１のワイヤレスプロトコルトランシーバと前記第２のワイヤレスプロトコルトランシーバとの間で優先権を付与するように構成され、ここにおいて、前記交互の時間期間の各時間期間は、第１の持続期間と第２の持続期間とのうちの一方を有し、その結果、優先権を選択的に付与するための前記手段は、前記第１の持続期間を有する前記交互の時間期間の各時間期間の間、前記第２のワイヤレスプロトコルトランシーバに優先権を付与し、ここにおいて、前記第１の持続期間が、ブロードキャスト送信間隔に対応する、請求項２２に記載のワイヤレス通信デバイス。
【請求項２８】
優先権を選択的に付与するための前記手段は、前記第２のワイヤレスプロトコルトランシーバが、スキャン動作モードで動作しているとき、交互の時間期間の間、前記第１のワイヤレスプロトコルトランシーバと前記第２のワイヤレスプロトコルトランシーバとの間で優先権を付与し、その結果、優先権を選択的に付与するための前記手段は、ブロードキャスト送信間隔に対応する位相間隔の後の前記交互の時間期間における位相シフトをさらに提供する、請求項２２に記載のワイヤレス通信デバイス。
【発明の詳細な説明】
【技術分野】
【０００１】
関連出願
[001]本出願は、２０１３年２月２０日に出願され、本願の譲受人に譲渡された「Ｓｙｓｔｅｍｓ  Ａｎｄ  Ｍｅｔｈｏｄｓ  Ｆｏｒ  Ｗｉｒｅｌｅｓｓ  Ｃｏｅｘｉｓｔｅｎｃｅ」と題する米国特許出願第１３／７７２，１００号の利益および優先権を主張するものであり、その全体が参照により本明細書に組み込まれる。
【０００２】
[002]本開示は、概して、ワイヤレス通信システムに関し、より具体的には、複数のワイヤレスプロトコルの間の共存（coexistence）を管理するためのシステムおよび方法に関する。
【背景技術】
【０００３】
[003]ワイヤレス技術を採用するデバイスの最近の急増は、複数のワイヤレス通信システムを特色とするデバイスの可用性の増大をもたらしている。たとえば、米国電気電子学会（ＩＥＥＥ）によって公表された８０２．１１ファミリの規格に準拠するものなど、ワイヤレスローカルエリアネットワーク（ＷＬＡＮ）プロトコルは、比較的長い距離にわたって、比較的高いデータレートを提供することができ、既存のネットワークインフラストラクチャへの容易なインターフェースを提供している。しかしながら、ＷＬＡＮシステムは、比較的高い電力消費にも関連付けられる。その結果、所定のアプリケーションが、ＷＬＡＮシステムによって提供される拡張されたレンジ（enhanced range）およびスループットを必要としないときは、より効率的なシステムでＷＬＡＮプロトコルを補完することが望ましい場合がある。
【０００４】
[004]したがって、ＡＮＴ（登録商標）（ＡＮＴ）プロトコルなどの低電力技術が、複数の接続されたデバイス間でパーソナルエリアネットワーク（ＰＡＮ）を確立する際に使用するために開発されており、近距離通信のための一般的な手段となっている。これらの低電力ワイヤレスプロトコル（low power wireless protocols）を採用するデバイスは、比較的低いレートで、縮小されたレンジにわたって、低レイテンシの情報交換（low latency information exchange）をなお可能にしながら、従来のＷＬＡＮシステムを採用するものよりもかなり低い電力を消費し得る。その結果、これらの技術によって、ワイヤレス通信ができるあらゆる種類の非常に低電力の集積デバイスが可能となる。これらのプロトコルを採用するデバイスは、小さなコイン型電池（coin-cell batteries）を使用して数ヶ月または数年間動作できる場合がある。低電力ワイヤレスデバイスの代表的なアプリケーションには、健康モニタおよび環境モニタ用のものなどのセンサがある。
【０００５】
[005]別の利点を活用するために、ワイヤレス通信デバイスは、そのようなセンサおよび他の低電力ワイヤレスデバイスとの通信を可能にするための低電力ワイヤレスプロトコル、ならびに増大したレンジおよびスループットを提供することができる１つまたは複数の追加のワイヤレスプロトコルをサポートすることができる。複数のワイヤレスプロトコルに関連付けられる様々な機能性を提供する利点にもかかわらず、特に単一のデバイスにおける併置（collocation）に起因するシステム間の干渉の可能性が存在する場合がある。たとえば、プロトコルをサポートするために使用されるワイヤレストランシーバの物理的な近接によって、一方の無線装置の送信が、他の無線装置における受信を損なう干渉を引き起こす結果となる場合がある。その結果、２つ以上のワイヤレスプロトコルが、２．４ＧＨｚ産業科学医療（Industrial, Science and Medicine）（ＩＳＭ）バンドなどの共通周波数バンドを共有するとき、システムが同時に媒体を使用しようとすると、性能劣化が生じる場合がある。
【０００６】
[006]したがって、共存を向上させるために、複数のワイヤレスプロトコルの動作を協調させる（coordinating operation）ためのシステムおよび方法を提供することが望まれるであろう。本開示は、この必要性および他の必要性を満たすものである。
【発明の概要】
【０００７】
[007]本開示は、ワイヤレス通信のためのシステムに関し、第１のワイヤレスプロトコルトランシーバと、第２のワイヤレスプロトコルトランシーバと、第２のワイヤレスプロトコルトランシーバの動作モードに基づいて第１のワイヤレスプロトコルトランシーバおよび第２のワイヤレスプロトコルトランシーバを選択的に有効および無効にすることができる共存マネージャ（a coexistence manager）と、を有するワイヤレス通信デバイスを含むことができ、ここにおいて、第２のワイヤレスプロトコルは、ブロードキャスト動作モードと、バースト動作モードと、スキャン動作モードとを有する低電力ワイヤレスプロトコルとすることができる。
【０００８】
[008]一態様では、第２のワイヤレスプロトコルトランシーバが、ブロードキャスト動作モードで動作している場合、共存マネージャは、第２のワイヤレスプロトコルトランシーバに優先権を付与する（award priority）ことができる。
【０００９】
[009]別の態様では、第２のワイヤレスプロトコルトランシーバが、バースト動作モードで動作している場合、および共存マネージャが、バースト動作モードに対応する拡張されたブロードキャストタイムスロットの持続期間（a duration of an extended broadcast timeslot）が閾値を下回ると決定する場合、共存マネージャは、第１の時間期間の間（for a first period of time）、第２のワイヤレスプロトコルトランシーバに優先権を付与することができ、ここにおいて、第１の時間期間が、拡張されたブロードキャストタイムスロットの持続期間に対応する。さらに、第２のワイヤレスプロトコルトランシーバが、バースト動作モードで動作している場合、および共存マネージャが、バースト動作モードに対応する拡張されたブロードキャストタイムスロットの持続期間が閾値を上回ると決定する場合、共存マネージャは、第１の時間期間の間、第１のワイヤレスプロトコルトランシーバに優先権を付与することができ、第２の時間期間の間（for a second period of time）、第２のワイヤレスプロトコルトランシーバに優先権を付与することができ、ここにおいて、第１の時間期間が、第２の時間期間に先行し、第２の時間期間が、拡張されたブロードキャストタイムスロットの持続期間に対応する。加えて、第１のワイヤレスプロトコルトランシーバは、第１の時間期間中に、省電力の動作モード（a power save mode of operation）に入ることができる。
【００１０】
[0010]別の態様では、第２のワイヤレスプロトコルトランシーバが、スキャン動作モードで動作している場合、共存マネージャは、交互の時間期間の間（for alternating periods of time）、第１のワイヤレスプロトコルトランシーバと第２のワイヤレスプロトコルトランシーバとの間で優先権を付与することができ、ここにおいて、交互の時間期間の各時間期間は、第１の持続期間と第２の持続期間とのうちの一方を有し、その結果、共存マネージャが、第１の持続期間を有する交互の時間期間の各時間期間の間、第２のワイヤレスプロトコルトランシーバに優先権を付与することができ、ここにおいて、第１の持続期間が、ブロードキャスト送信間隔に対応する。
【００１１】
[0011]さらに別の態様では、第２のワイヤレスプロトコルトランシーバが、スキャン動作モードで動作している場合、共存マネージャは、交互の時間期間の間、第１のワイヤレスプロトコルトランシーバと第２のワイヤレスプロトコルトランシーバとの間で優先権を付与することができ、その結果、共存マネージャが、ブロードキャスト送信間隔に対応する位相間隔の後の交互の時間期間における位相シフトを提供することもできる。
【００１２】
[0012]本開示は、ワイヤレス通信のための方法も含む。たとえば、第１のワイヤレスプロトコルトランシーバと第２のワイヤレスプロトコルトランシーバとを有するデバイスにおけるワイヤレス通信のための好適な方法は、第２のワイヤレスプロトコルトランシーバの動作モードを決定するステップと、第２のワイヤレスプロトコルトランシーバの動作モードに基づいて第１のワイヤレスプロトコルトランシーバと第２のワイヤレスプロトコルトランシーバとに優先権を付与するステップと、を含むことができ、ここにおいて、第２のワイヤレスプロトコルが、ブロードキャスト動作モードと、バースト動作モードと、スキャン動作モードとを有する低電力ワイヤレスプロトコルである。一態様では、第２のワイヤレスプロトコルトランシーバが、ブロードキャスト動作モードで動作している場合、優先権は、第２のワイヤレスプロトコルトランシーバに付与され得る。
【００１３】
[0013]別の態様では、第２のワイヤレスプロトコルトランシーバがバースト動作モードで動作している場合、拡張されたブロードキャストタイムスロットの持続期間が決定され得、持続期間が閾値を下回る場合、第１の時間期間の間、第２のワイヤレスプロトコルトランシーバに優先権が付与され、ここにおいて、第１の時間期間が、拡張されたブロードキャストタイムスロットの持続期間に対応する。加えて、持続期間が閾値を上回る場合、優先権は、第１の時間期間の間、第１のワイヤレスプロトコルトランシーバに付与され得、優先権は、第２の時間期間の間、第２のワイヤレスプロトコルトランシーバに付与され得、ここにおいて、第１の時間期間が、第２の時間期間に先行し、第２の時間期間が、拡張されたブロードキャストタイムスロットの持続期間に対応する。さらに、第１のワイヤレスプロトコルトランシーバは、第１の時間期間中に、省電力モードに入ることができる。
【００１４】
[0014]さらなる態様では、第２のワイヤレスプロトコルトランシーバが、スキャン動作モードで動作している場合、優先権は、交互の時間期間の間、第１のワイヤレスプロトコルトランシーバと第２のワイヤレスプロトコルトランシーバとの間で付与され得、ここにおいて、交互の時間期間の各時間期間は、第１の持続期間と第２の持続期間とのうちの一方を有し、その結果、優先権が、第１の持続期間を有する交互の時間期間の各期間の間、第２のワイヤレスプロトコルトランシーバに付与され、第１の持続期間がブロードキャスト送信間隔に対応する。
【００１５】
[0015]さらに、第２のワイヤレスプロトコルトランシーバが、スキャン動作モードで動作している場合、優先権は、交互の時間期間の間、第１のワイヤレスプロトコルトランシーバと第２のワイヤレスプロトコルトランシーバとの間で付与され得、ブロードキャスト送信間隔に対応する位相間隔の後の交互の時間期間における位相シフトを提供する。
【００１６】
[0016]本開示はまた、第１のワイヤレスプロトコルトランシーバと第２のワイヤレスプロトコルトランシーバとを有するワイヤレス通信デバイスを動作させるための非一時的なプロセッサ可読記憶媒体を含み、このプロセッサ可読記憶媒体が、第２のワイヤレスプロトコルトランシーバの動作モードを決定するためのコードと、第２のワイヤレスプロトコルトランシーバの動作モードに基づいて第１のワイヤレスプロトコルトランシーバと第２のワイヤレスプロトコルトランシーバとに優先権を付与するためのコードと、を含む命令を有し、ここにおいて、第２のワイヤレスプロトコルが、ブロードキャスト動作モードと、バースト動作モードと、スキャン動作モードとを有する低電力ワイヤレスプロトコルである。この記憶媒体は、第２のワイヤレスプロトコルトランシーバが、ブロードキャスト動作モードで動作している場合、第２のワイヤレスプロトコルトランシーバに優先権を付与するためのコードを含むことができる。
【００１７】
[0017]一態様では、この記憶媒体は、第２のワイヤレスプロトコルトランシーバが、バースト動作モードで動作している場合、拡張されたブロードキャストタイムスロットの持続期間を決定するためのコードと、持続期間が閾値を下回る場合、第１の時間期間の間、第２のワイヤレスプロトコルトランシーバに優先権を付与するためのコードとを含むことができ、ここにおいて、第１の時間期間が、拡張されたブロードキャストタイムスロットの持続期間に対応する。さらに、この記憶媒体は、第２のワイヤレスプロトコルトランシーバが、バースト動作モードで動作している場合、拡張されたブロードキャストタイムスロットの持続期間を決定するためのコードと、持続期間が閾値を上回る場合、第１の時間期間の間、第１のワイヤレスプロトコルトランシーバに優先権を付与するためのコードと、第２の時間期間の間、第２のワイヤレスプロトコルトランシーバに優先権を付与するためのコードとを含むこともでき、ここにおいて、第１の時間期間が、第２の時間期間に先行し、第２の時間期間が、拡張されたブロードキャストタイムスロットの持続期間に対応する。さらに、第１の時間期間中に、第１のワイヤレスプロトコルトランシーバで省電力の動作モードに入るためのコードもあってもよい。
【００１８】
[0018]別の態様では、この記憶媒体は、第２のワイヤレスプロトコルトランシーバが、スキャン動作モードで動作している場合、第１の持続期間と第２の持続期間とを有する交互の時間期間の間、第１のワイヤレスプロトコルトランシーバと第２のワイヤレスプロトコルトランシーバとの間で優先権を付与するためのコードを有することができ、その結果、優先権が、第１の持続期間を有する交互の時間期間中に、第２のワイヤレスプロトコルトランシーバに付与され、第１の持続期間が、ブロードキャスト送信間隔に対応する。さらに別の態様では、この記憶媒体は、第２のワイヤレスプロトコルトランシーバが、スキャン動作モードで動作している場合、交互の時間期間の間、第１のワイヤレスプロトコルトランシーバと第２のワイヤレスプロトコルトランシーバとの間で優先権を付与し、ブロードキャスト送信間隔に対応する位相間隔の後の交互の時間期間における位相シフトを提供するためのコードを含むことができる。
【００１９】
[0019]本開示は、第１のワイヤレスプロトコルトランシーバと、第２のワイヤレスプロトコルトランシーバと、第２のワイヤレスプロトコルトランシーバの動作モードに基づいて第１のワイヤレスプロトコルトランシーバおよび第２のワイヤレスプロトコルトランシーバを選択的に有効および無効にすることができる優先権を付与するための手段と、を有するワイヤレス通信デバイスを含むこともでき、ここにおいて、第２のワイヤレスプロトコルは、ブロードキャスト動作モードと、バースト動作モードと、スキャン動作モードとを有する低電力ワイヤレスプロトコルとすることができる。
【００２０】
[0020]一態様では、第２のワイヤレスプロトコルトランシーバが、ブロードキャスト動作モードで動作している場合、優先権を付与するための手段は、第２のワイヤレスプロトコルトランシーバに優先権を付与することができる。
【００２１】
[0021]別の態様では、第２のワイヤレスプロトコルトランシーバが、バースト動作モードで動作している場合、および優先権を付与するための手段が、バースト動作モードに対応する拡張されたブロードキャストタイムスロットの持続期間が閾値を下回ると決定する場合、優先権を付与するための手段は、第１の時間期間の間、第２のワイヤレスプロトコルトランシーバに優先権を付与することができ、ここにおいて、第１の時間期間が、拡張されたブロードキャストタイムスロットの持続期間に対応する。さらに、第２のワイヤレスプロトコルトランシーバが、バースト動作モードで動作している場合、および優先権を付与するための手段が、バースト動作モードに対応する拡張されたブロードキャストタイムスロットの持続期間が閾値を上回ると決定する場合、優先権を付与するための手段は、第１の時間期間の間、第１のワイヤレスプロトコルトランシーバに優先権を付与し、第２の時間期間の間、第２のワイヤレスプロトコルトランシーバに優先権を付与することができ、ここにおいて、第１の時間期間が、第２の時間期間に先行し、第２の時間期間が、拡張されたブロードキャストタイムスロットの持続期間に対応する。加えて、第１のワイヤレスプロトコルトランシーバは、第１の時間期間中に、省電力の動作モードに入ることができる。
【００２２】
[0022]別の態様では、第２のワイヤレスプロトコルトランシーバが、スキャン動作モードで動作している場合、優先権を付与するための手段は、交互の時間期間の間、第１のワイヤレスプロトコルトランシーバと第２のワイヤレスプロトコルトランシーバとの間で優先権を付与することができ、ここにおいて、交互の時間期間の各時間期間は、第１の持続期間と第２の持続期間とのうちの一方を有し、その結果、優先権を付与するための手段が、第１の持続期間を有する交互の時間期間の各時間期間の間、第２のワイヤレスプロトコルトランシーバに優先権を付与することができ、ここにおいて、第１の持続期間が、ブロードキャスト送信間隔に対応する。
【００２３】
[0023]さらに別の態様では、第２のワイヤレスプロトコルトランシーバが、スキャン動作モードで動作している場合、優先権を付与するための手段は、交互の時間期間の間、第１のワイヤレスプロトコルトランシーバと第２のワイヤレスプロトコルトランシーバとの間で優先権を付与することができ、その結果、優先権を付与するための手段が、ブロードキャスト送信間隔に対応する位相間隔の後の交互の時間期間における位相シフトを提供することもできる。
【００２４】
[0024]参照される文字が、図面を通して、同じ部分または要素を概して指す添付の図面に示されるように、さらなる特徴および利点が、以下および本発明の好ましい実施形態のより具体的な説明から、明らかになるであろう。
【図面の簡単な説明】
【００２５】
【図１】[0025]本発明の一実施形態に係る、ＷＬＡＮワイヤレスプロトコルとＡＮＴワイヤレスプロトコルとを有するワイヤレス通信デバイスを含むワイヤレス環境を模式的に示す図。
【図２】[0026]本発明の一実施形態に係る、ＡＮＴトランシーバの動作モードに基づいて、ＡＮＴワイヤレスプロトコルとＷＬＡＮワイヤレスプロトコルとの間を調停する（arbitrate）ワイヤレス通信デバイスの機能ブロックを模式的に示す図。
【図３】[0027]本発明の一実施形態に係る、ブロードキャスト動作モードで動作しているときの、ＷＬＡＮトランシーバおよびＡＮＴトランシーバの有効状態および無効状態を示す図。
【図４】[0028]本発明の一実施形態に係る、閾値を下回る拡張されたブロードキャストタイムスロットを有するバースト動作モードで動作しているときの、ＷＬＡＮトランシーバおよびＡＮＴトランシーバの有効状態および無効状態（enabled and disabled states）を示す図。
【図５】[0029]本発明の一実施形態に係る、閾値を上回る拡張されたブロードキャストタイムスロットを有するバースト動作モードで動作しているときの、ＷＬＡＮトランシーバおよびＡＮＴトランシーバの有効状態および無効状態を示す図。
【図６】[0030]本発明の一実施形態に係る、スキャン動作モードで動作しているときの、ＷＬＡＮトランシーバおよびＡＮＴトランシーバの有効状態および無効状態を示す図。
【図７】[0031]本発明の一実施形態に係る、ＷＬＡＮトランシーバのための高められた優先権（increased priority）を有するスキャン動作モードで動作しているときの、ＷＬＡＮトランシーバおよびＡＮＴトランシーバの有効状態および無効状態を示す図。
【図８】[0032]本発明の一実施形態に係る、デバイスのＷＬＡＮトランシーバの動作ステータスの情報に基づいて、ＡＭＰリンクを動作させるための例示的なルーチンを示すフローチャート。
【詳細な説明】
【００２６】
[0033]最初に、本開示は、特に例示される材料、アーキテクチャ、ルーチン、方法または構造に限定されず、したがって、変化し得ることを理解されたい。このように、本明細書で説明されるものと同様または同等の、多くのそのような選択肢が、本開示の実施または実施形態で使用され得るが、好ましい材料および方法が、本明細書で説明される。
【００２７】
[0034]最初に、本開示は、特に例示される材料（materials）、アーキテクチャ、ルーチン、方法または構造に限定されず、したがって、もちろん、変化し得ることを理解されたい。このように、本明細書で説明されるものと同様または同等の、多くのそのような選択肢が、本開示の実施または実施形態で使用され得るが、好ましい材料および方法が、本明細書で説明される。
【００２８】
[0035]また、本明細書で使用する用語は、本開示の特定の実施形態について説明するためのものにすぎず、限定的なものではないことを理解されたい。
【００２９】
[0036]添付の図面に関連して以下に述べられる詳細な説明は、本発明の例示的な実施形態の説明として意図されており、本発明が実施され得る唯一の例示的な実施例を表すことを意図するものではない。本説明を通して使用される「例示的な」という用語は、「例、事例、または実例となる（serving as an example, instance, or illustration）」を意味するものであり、他の例示的な実施形態よりも好ましい、または有利であると、必ずしも解釈されるべきではない。詳細な説明は、本明細書の例示的な実施形態の十分な理解を提供するために特定の詳細を含む。本明細書の例示的な実施形態が、これらの特定の詳細なしに実施され得ることが、当業者には、明らかであろう。いくつかの場合では、本明細書に提示する例示的な実施形態の新規性を曖昧にするのを避けるために、周知の構造およびデバイスをブロック図の形で示す。
【００３０】
[0037]便利さおよび明瞭さのためにのみ、頂部の、底部の、左の、右の、上へ、下へ、上方に、上に、下に、下方に、後方の、後の、および前のなどの方向を示す用語（directional terms）は、添付の図面またはチップ実施形態（chip embodiments）に対して使用され得る。これらおよび同様の方向を示す用語は、いかなる方法においても、本発明の範囲を限定するものと解釈されるべきではない。
【００３１】
[0038]本明細書において、および特許請求の範囲において、ある要素が、別の要素に「接続される」または「結合される」と言及されるとき、要素は、他の要素に直接的に接続または結合され得るか、または介在する要素が存在してもよいことが理解されるであろう。対照的に、ある要素が、別の要素に「直接的に接続される」または「直接的に結合される」と言及されるとき、介在する要素は存在しない。
【００３２】
[0039]以下の実施の形態の一部は、プロシージャ、論理ブロック、処理、およびコンピューターメモリ内のデータビットに対する動作の他の記号的表現の観点で提示される。これらの説明および表現は、データ処理の当業者がその仕事の本質を他の当業者に最も効果的に伝えるために使用する手段である。本出願では、プロシージャ、論理ブロック、プロセスなどは、所望の結果をもたらす自己無撞着な（self-consistent）一連のステップまたは命令であると考えられる。ステップは、物理量の物理操作を必要とするステップである。必ずしもそうとは限らないが、通常、これらの量は、コンピューターシステムにおいて記憶、転送、組合せ、比較、および他の操作が可能な、電気信号または磁気信号の形態をとる。
【００３３】
[0040]ただし、これらおよび同様の用語はすべて、適切な物理量に関連付けられるべきものであり、これらの量に付与される便利なラベルにすぎないことを留意されたい。以下の議論から明らかなように、特に明記しない限り、本出願を通して、「アクセス」、「受信」、「送信」、「使用」、「選択」、「決定」、「正規化」、「乗算」、「平均化」、「監視」、「比較」、「適用」、「更新」、「測定」、「導出」などの用語を利用する議論は、コンピューターシステムのレジスタおよびメモリ内の物理（電子）量として表されるデータを、コンピューターシステムメモリまたはレジスタまたは他のそのような情報記憶装置、送信または表示デバイス内の物理量として同様に表される他のデータへと操作し、変換する、コンピューターシステムまたは同様の電子コンピューティングデバイスの動作およびプロセスを指すことを理解されたい。
【００３４】
[0041]本明細書で説明される実施形態は、１つまたは複数のコンピューターまたは他のデバイスによって実行される、プログラムモジュールなどの、プロセッサ可読媒体の何らかの形態上に存在するプロセッサ実行可能な命令の一般的な文脈で議論され得る。概して、プログラムモジュールは、特定のタスクを実行するか、または特定の抽象データ型を実装する、ルーチン、プログラム、オブジェクト、構成要素、データ構造などを含む。プログラムモジュールの機能は、様々な実施形態において必要に応じて組み合わせられ得るか、または分散され得る。
【００３５】
[0042]図では、単一のブロックは、機能または複数の機能を実行するものとして説明され得る。しかしながら、実際には、そのブロックによって実行される機能または複数の機能は、単一のコンポーネントまたは複数のコンポーネントにわたって実行され得、および／またはハードウェアを使用するか、ソフトウェアを使用するか、もしくはハードウェアおよびソフトウェアの組合せを使用して実行され得る。ハードウェアとソフトウェアのこの互換性を明確に示すために、様々な例示的なコンポーネント、ブロック、モジュール、回路、およびステップが、概してそれらの機能性の観点で上述された。そのような機能をハードウェアとして実施するか、ソフトウェアとして実施するかは、特定のアプリケーションおよび全体的なシステムに課される設計制約に依存する。当業者は、各具体的なアプリケーションについて様々な方法で説明された機能性を実装することができるが、そのような実装の決定は、本発明の範囲からの逸脱を引き起こすと解釈されるべきではない。また、例示的なワイヤレス通信デバイスは、プロセッサ、メモリなどの周知のコンポーネントを含む、示されるもの以外のコンポーネントを含み得る。
【００３６】
[0043]本明細書で説明される技術は、特定の方法で実装されるものとして特に説明されない限り、ハードウェア、ソフトウェア、ファームウェア、またはそれらの任意の組合せで実装され得る。モジュールまたはコンポーネントとして説明される任意の特徴は、集積論理デバイスに、一緒に、または個別であるが相互運用可能な論理デバイスとして別々にも実装され得る。ソフトウェアで実装される場合、この技術は、実行されるとき、上述の方法の１つまたは複数を実行する命令を備える非一時的なプロセッサ可読記憶媒体によって少なくとも部分的に実現され得る。非一時的なプロセッサ可読データ記憶媒体は、コンピュータープログラム製品の一部を形成することができ、これは、パッケージング材料を含むことができる。
【００３７】
[0044]非一時的なプロセッサ可読記憶媒体は、同期ダイナミックランダムアクセスメモリ（ＳＤＲＡＭ）などのランダムアクセスメモリ（ＲＡＭ）、読み取り専用メモリ（ＲＯＭ）、不揮発性ランダムアクセスメモリ（ＮＶＲＡＭ）、電気的消去可能プログラマブル読み取り専用メモリ（ＥＥＰＲＯＭ（登録商標））、フラッシュメモリ、他の既知の記憶媒体、などを備えることができる。この技術は、加えて、または代替的に、命令またはデータ構造の形態のコードを搬送または通信し、コンピューターまたは他のプロセッサによってアクセス、読み取り、および／または実行され得るプロセッサ可読通信媒体によって、少なくとも部分的に実現され得る。
【００３８】
[0045]本明細書で開示される実施形態に関連して説明される様々な例示的な論理ブロック、モジュール、回路、および命令は、１つまたは複数のデジタルシグナルプロセッサ（ＤＳＰ）、汎用マイクロプロセッサ、特定用途向け集積回路（ＡＳＩＣ）、特定用途向け命令セットプロセッサ（ＡＳＩＰ）、フィールドプログラマブルゲートアレイ（ＦＰＧＡ）、または他の同等の集積論理回路もしくは個別論理回路などの１つまたは複数のプロセッサによって実行され得る。「プロセッサ」という用語は、本明細書で使用されるとき、任意の前述の構造、または本明細書で説明される技術の実装のために好適な任意の他の構造を指すことができる。加えて、いくつかの態様では、本明細書で説明される機能性は、本明細書で説明されるように構成される専用のソフトウェアモジュールまたはハードウェアモジュール内で提供され得る。また、この技術は、１つまたは複数の回路または論理素子で完全に実装され得る。汎用プロセッサはマイクロプロセッサとすることができるが、代替として、プロセッサは、任意の従来のプロセッサ、コントローラ、マイクロコントローラ、またはステートマシンとすることができる。プロセッサは、たとえば、ＤＳＰとマイクロプロセッサの組合せ、複数のマイクロプロセッサ、ＤＳＰコアと連携する１つまたは複数のマイクロプロセッサ、または任意の他のそのような構成など、コンピューティングデバイスの組合せとしても実装され得る。
【００３９】
[0046]便利さおよび明瞭さのためにのみ、頂部の、底部の、左の、右の、上へ、下へ、上方に、上に、下に、下方に、後方の、後の、および前のなどの方向を示す用語は、添付の図面または具体的な実施形態に対して使用され得る。これらおよび同様の方向を示す用語は、いかなる方法においても、本発明の範囲を限定するものと解釈されるべきではなく、文脈に応じて変わることがある。さらに、第１のおよび第２のなどの順序の用語は、同様の要素を区別するために使用され得るが、他の順序で使用され得、または文脈に応じても変わることがある。
【００４０】
[0047]実施形態は、ワイヤレス通信デバイスに関して本明細書で説明され、それは、システム、加入者ユニット、加入者局、移動局、モバイルワイヤレス端末、モバイルデバイス、ノード、デバイス、遠隔局、遠隔端末、端末、ワイヤレス通信デバイス、ワイヤレス通信装置、ユーザーエージェント、または他のクライアントデバイスなどの任意の好適な種類のユーザー機器を含むことができる。ワイヤレス通信デバイスのさらなる例には、携帯電話、コードレス電話、セッション開始プロトコル（ＳＩＰ）フォン、スマートフォン、ワイヤレスローカルループ（ＷＬＬ）局、携帯情報端末（ＰＤＡ）、ラップトップ、ハンドヘルド通信デバイス、ハンドヘルドコンピューティングデバイス、衛星無線装置、ワイヤレスモデムカード、および／またはワイヤレスシステムを介して通信するための別の処理デバイスなどのモバイルデバイスがある。その上、実施形態は、アクセスポイント（ＡＰ）に関しても本明細書で説明され得る。ＡＰは、１つまたは複数のワイヤレスノードと通信するために利用され得、基地局、ノード、ノードＢ、発展型ノードＢ（ｅＮＢ）、または他の好適なネットワークエンティティと名付けられ、また呼ばれ、およびそれらに関連付けられる機能性を示すことができる。ＡＰは、エアインターフェースを介してワイヤレス端末と通信する。通信は、１つまたは複数のセクタを通して行われ得る。ＡＰは、受信されたエアインターフェース・フレームをＩＰパケットに変換することによって、ワイヤレス端末と、インターネットプロトコル（ＩＰ）ネットワークを含むことができるアクセスネットワークの残りの部分と、の間のルーターとして動作することができる。ＡＰは、エアインターフェースのための属性の管理を協調させる（coordinate）こともでき、ワイヤードネットワークとワイヤレスネットワークとの間のゲートウェイとなることもできる。
【００４１】
[0048]別段に定義されていない限り、本明細書で使用するすべての技術用語および科学用語は、本開示が関係する当業者によって一般に理解されるのと同じ意味を有する。
【００４２】
[0049]最後に、本明細書および添付の特許請求の範囲で使用されるとき、単数形の「ａ」、「ａｎ」、および「ｔｈｅ」は、内容に明確な指示がない限り、複数の対象を含む。
【００４３】
[0050]本開示は、低電力ワイヤレスプロトコルと１つまたは複数の追加のワイヤレスプロトコルとの間の共存を提供するための技術を含む。一態様では、好適な低電力ワイヤレスプロトコルは、Ｄｙｎａｓｔｒｅａｍ  Ｉｎｎｏｖａｔｉｏｎｓ，  Ｉｎｃ．社（Ｃｏｃｈｒａｎｅ、ＣＡ）によって開発され、同社から入手可能なＡＮＴプロトコルとすることができる。ＡＮＴプロトコルは、２．４ＧＨｚのＩＳＭバンド上で動作し、データ送信、シグナリング、認証、およびエラー検出のための規格を提供する。ＡＮＴプロトコルは、比較的近距離にわたる高度に効率的なワイヤレス送信を提供するために設計されている。ＡＮＴ通信リンクは、少なくとも２つのデバイス間で確立することができ、ポイントツーポイント、スター、ツリー、またはメッシュを含む、多種多様なネットワークトポロジが可能である。アプリケーションに応じて、１つのデバイスは、マスターの役割で実行することができ、１つまたは複数の関連付けられるデバイスは、スレーブの役割で動作することができ、またはこれらのデバイスは、ピアツーピアの関係で編成され得る。
【００４４】
[0051]ＡＮＴプロトコルは、ＡＮＴデバイスが、送信しているか、または受信しているかに応じて、多くの動作モードによって特徴付けられ得る。少なくとも２つの動作モードは、送信に関連付けられ得、少なくとも１つの動作モードは、受信に関連付けられ得る。
【００４５】
[0052]送信に関しては、第１の動作モードは、ブロードキャスト動作モードとすることができ、そこでは、ＡＮＴデバイスは、約２５０ｍｓなど、定義された周波数において周期的なタイムスロットを使用して送信する。送信時間は、たとえば、１〜２ｍｓ未満など、比較的短くすることができ、たとえば、約６００μｓなど、比較的短い受信期間によって続かれ得る。その結果、ブロードキャスト動作モードは、たとえば、２５０ｍｓ毎に約３ｍｓ未満など、比較的低いデューティサイクル（a relatively low duty cycle）を表すことができる。第２の動作モードは、バースト動作モードとすることができ、それは、たとえば、高められたデータ転送レートを提供するために使用され得、センサからの記憶されたデータをアップロードするために使用され得る。バースト動作モードの間、ＡＮＴデバイスは、タイムスロットのデフォルトの持続期間を超えてブロードキャスト送信を拡張する（extend）ことができる。したがって、バースト動作モードにおける送信は、１〜２ｍｓを超えて、たとえば、１０〜２０ｍｓ以上に拡張することができる。
【００４６】
[0053]受信に関しては、第３の動作モードは、スキャン動作モードとすることができ、そこでは、ＡＮＴデバイスは、対応するＡＮＴデバイスのブロードキャスト送信を探索するために、利用可能なワイヤレスチャネルを順次スキャンすることができる。ＡＮＴプロトコルは、マスタークロックを採用しないので、スキャン動作モードにおけるＡＮＴデバイスは、ブロードキャスト送信のタイミングに関するタイミング情報を有さないことがある。その結果、ＡＮＴデバイスは、送信ＡＮＴデバイスにタイミングを同期させるために、ブロードキャスト送信が正常に受信されるまで、ワイヤレスチャネルをスキャンすることができる。
【００４７】
[0054]本開示の技術を採用することによって、ワイヤレス通信デバイスは、ＷＬＡＮプロトコルの増加されたレンジおよびスループットなど、１つまたは複数の追加のワイヤレスプロトコルの機能も提供しながら、低電力ワイヤレスプロトコルを採用することによって、低電力ワイヤレスデバイスとの互換性を提供することができる。複数のワイヤレスプロトコル間の干渉の可能性を低減するため、共存マネージャは、低電力ワイヤレスプロトコルの動作モードに基づいて、ワイヤレス媒体へのアクセスを調停する（arbitrate）ために採用され得る。
【００４８】
[0055]本開示のシステムおよび方法の例示を助けるために、ＷＬＡＮおよびＡＮＴの機能を有するワイヤレス通信デバイス１０２を含む例示的なワイヤレス通信システム１００が図１に示される。本実施形態では、ワイヤレス通信デバイス１０２は、心拍センサ腕時計（a heart rate sensor wristwatch）などの低電力デバイス１０４とのＡＮＴ通信リンクを形成することができる。低電力デバイス１０４は、任意の好適に構成される健康センサもしくは環境センサ（any suitably configured health or environment sensor）、または低電力ワイヤレスプロトコルによって表される電力効率の良い（power efficient）ワイヤレス通信機能を利用する任意のデバイスとすることができる。ワイヤレス通信デバイス１０２は、インフラストラクチャＷＬＡＮにおけるアクセスポイント１０６とのＷＬＡＮ通信リンクを形成することもできる。他の実施形態では、ワイヤレス通信デバイス１０２は、Ｗｉ−Ｆｉ（登録商標）ダイレクト（登録商標）などのアドホックネットワーク、またはピアツーピアプロトコルを含む任意の好適なネットワークトポロジにおける任意の他の種類のワイヤレス通信デバイスとの接続を形成することができる。本開示の実施形態は、ＡＮＴワイヤレスプロトコルおよびＷＬＡＮワイヤレスプロトコルを参照して説明されるが、これらの技術は、符号分割多元接続（ＣＤＭＡ）ネットワーク、高速パケットアクセス（ＨＳＰＡ（＋））、高速ダウンリンクパケットアクセス（ＨＳＰＤＡ）、モバイル通信のためのグローバルシステム（ＧＳＭ（登録商標））、エンハンストデータＧＳＭ環境（enhanced data GSM（登録商標） environment）（ＥＤＧＥ）、ロングタームエボリューション（ＬＴＥ）、ＷｉＭａｘ（登録商標）、ＢＬＵＥＴＯＯＴＨ（登録商標）（Ｂｌｕｅｔｏｏｔｈ（登録商標））、ＺｉｇＢｅｅ（登録商標）、ワイヤレスユニバーサルシリアルバス（ＵＳＢ）、および同等の特性を有するものなどの任意の他のワイヤレスプロトコルを採用するワイヤレス通信デバイスに拡張され得る。
【００４９】
[0056]ワイヤレス通信デバイス１０２の一実施形態に関する追加の詳細は、図２における高いレベルの模式的ブロックとして示される。いくつかの実施形態では、ワイヤレス通信デバイス１０２は、ＷＬＡＮプロトコルスタックのより低いレベルが、ＷＬＡＮトランシーバ２０２のファームウェアおよびハードウェアに実装されるアーキテクチャを採用することができる。示されるように、ＷＬＡＮトランシーバ２０２は、検証、確認応答、ルーティング、フォーマッティングなどを含むＩＥＥＥ８０２．１１ファミリの規格で定義された（８０２．１１）データのフレームの取扱いおよび処理に関する機能を実行するメディアアクセスコントローラ（ＭＡＣ）２０４を含む。着信フレームおよび発信フレーム（incoming and outgoing frames）は、ＭＡＣ２０４と物理層（ＰＨＹ）２０６との間で交換され、それは、ここに示されるように、関連する８０２．１１プロトコルに従ってフレームを変調し、ならびに、ワイヤレス信号の送信および受信を提供するために必要なアナログ処理およびＲＦ変換を提供する機能を含む。ＷＬＡＮトランシーバ２０２は、データリンク層および物理層ならびにネットワークおよびトランスポート機能を実装するためのファームウェアおよびハードウェアを有するＡＮＴトランシーバ２０８を含むこともできる。ＡＮＴプロトコルは、低ホストコンピューティングリソースを必要とするように設計される。示される実施形態では、ＷＬＡＮトランシーバ２０２およびＡＮＴトランシーバ２０８は、関連付けられるアンテナ、アンテナ２１０および２１２、をそれぞれ有する。ＡＮＴアンテナ２１２は、ＡＮＴトランシーバ２０８と単一のパッケージに統合され得る。しかしながら、必要に応じ、採用されるワイヤレスプロトコルに応じて、１つまたは複数のアンテナが、当該分野で公知のスイッチング技術を使用して、複数のトランシーバ間で共有され得る。同様に、それぞれのトランシーバの一部またはすべての要素は、たとえば、同じ回路基板上または同じシステム内の異なる回路基板上など、共通システム上に併置され得、または、システムオンチップ（a system on a chip）（ＳｏＣ）実装におけるものとして同じ集積回路上に組み込まれ得る。
【００５０】
[0057]ワイヤレス通信デバイス１０２は、ワイヤレス通信デバイス１０２の機能に関わる様々な計算および動作を実行するように構成されるホストＣＰＵ２１４も含む。ホストＣＰＵ２１４は、バス２１６を介してＷＬＡＮトランシーバ２０２およびＡＮＴトランシーバ２０８に結合され、そのバスは、ペリフェラルコンポーネント相互接続エクスプレス（ＰＣＩｅ）バス、ユニバーサルシリアルバス（ＵＳＢ）、ユニバーサル非同期型送受信機（a universal asynchronous receiver/transmitter）（ＵＡＲＴ）シリアルバス、好適なアドバンスド・マイクロコントローラ・バスアーキテクチャ（advanced microcontroller bus architecture）（ＡＭＢＡ）インターフェース、シリアルデジタル入出力（ＳＤＩＯ）バス、または他の同等のインターフェースとして実装され得る。ＡＮＴプロトコルは、情報が、ＡＮＴトランシーバ２０８に形成された物理チャネルを介して、ホストＣＰＵ２１４と低電力デバイス１０４との間で交換され得るように、双方向のシリアルメッセージプロトコルの使用を可能にすることができる。
【００５１】
[0058]示されるように、ワイヤレス通信デバイス１＋０２は、本開示の技術に従ってＷＬＡＮトランシーバ２０２およびＡＮＴトランシーバ２０８の動作を協調させるためにＣＰＵ２１４によって実行され得る、メモリ２２０に記憶されたプロセッサ可読命令として実装された共存マネージャ２１８を含むことができる。以下に説明される態様によれば、共存マネージャ２１８は、ＡＮＴトランシーバ２０８に関連付けられる動作モードを決定し、ＷＬＡＮトランシーバ２０２とＡＮＴトランシーバ２０８との間の時分割ベースの調停（a time division-based arbitration）を提供するように構成され得る。
【００５２】
[0059]一実施形態では、共存マネージャ２１８は、ＡＮＴトランシーバ２０８が、ブロードキャスト動作モードに関連付けられる動作モードにあることを決定するように構成され得る。上述のように、ブロードキャスト動作モードの間、ＡＮＴトランシーバ２０８は、たとえば、約２５０ｍｓなど、定義された周波数で生じる周期的なタイムスロットの間に情報を送信することができる。送信時間は、たとえば、１〜２ｍｓ未満など、比較的短くすることができ、たとえば、約６００μｓなど、比較的短い受信期間によって続かれ得る。その結果、ブロードキャスト動作モードは、たとえば、２５０ｍｓ毎に約３ｍｓ未満など、比較的低いデューティサイクルを表すことができる。共存マネージャ２１８は、各ブロードキャストタイムスロットの持続期間の間（for the duration）、ＡＮＴトランシーバ２０８に優先権を付与し、その残りの時間の間（for the remainder of the time）、ＷＬＡＮトランシーバ２０２に優先権を許可するように構成され得る。共存マネージャは、ブロードキャスト動作モードに関連付けられる低デューティサイクルに因ってＷＬＡＮトランシーバの性能を大幅に劣化させることなしに、そのようなブロードキャストタイムスロットの間（for such broadcast timeslots）、ＡＮＴトランシーバ２０８に優先権を与えることができる。
【００５３】
[0060]ブロードキャスト動作モードにおけるＷＬＡＮトランシーバ２０２とＡＮＴトランシーバ２０８との間の共存の模式的表現が、図３に示される。示されるように、ブロードキャスト間隔３０６で周期的に生じるブロードキャストタイムスロット３０２および３０４に対応する時間期間の間、ＡＮＴトランシーバ２０８は、有効にされ得、ＷＬＡＮトランシーバ２０２は、無効にされ得る。期間３０８など、複数のブロードキャストタイムスロットの間の時間期間中、ＷＬＡＮトランシーバ２０２は、有効にされ得、ＡＮＴトランシーバ２０８は無効にされ得る。共存マネージャ２１８は、ＡＮＴトランシーバ２０８からの適切なブロードキャスト間隔およびタイムスロット持続期間を決定することができる。
【００５４】
[0061]別の実施形態では、共存マネージャ２１８は、ＡＮＴトランシーバ２０８が、バースト動作モードに関連付けられる動作モードにあることを決定するように構成され得る。バースト動作モードの間、ＡＮＴトランシーバ２０８は、タイムスロットのデフォルトの持続期間を超えてブロードキャスト送信を拡張することができる。したがって、バースト動作モードにおける送信は、１〜２ｍｓを超えて延び（extend）、たとえば、１０〜２０ｍｓ以上など、より長い持続期間の間、持続する（last）ことができる。共存マネージャ２１８は、拡張されたブロードキャストタイムスロットに関連付けられる持続期間を決定し、持続期間が所定の閾値を下回るとき、拡張されたブロードキャストタイムスロットの持続期間の間、ＡＮＴトランシーバ２０８に優先権を許可するように構成され得る。閾値は、ＷＬＡＮシステムとＡＮＴシステムとの間の所望の性能の相対的なレベルに基づいて確立され得る（たとえば、過去の性能またはシミュレーションを通じてヒューリスティックに決定される（heuristically determined）か、または最良の推測方法を通じて決定されるか、または特定の状況のために事前に定義される）。たとえば、高められたレベルにおけるＷＬＡＮ性能を維持しながら、１０〜２０ｍｓの閾値が採用され得、ＡＮＴシステムの高められた性能が所望されるとき、閾値を高めることが採用され得る。
【００５５】
[0062]閾値を下回る拡張されたブロードキャストタイムスロットを有する、バースト動作モードにおけるＷＬＡＮトランシーバ２０２とＡＮＴトランシーバ２０８との間の共存の模式的な表現が、図４に示される。示されるように、ブロードキャスト間隔４０６で周期的に生じる、拡張されたブロードキャストタイムスロット４０２および４０４に対応する時間期間の間、ＡＮＴトランシーバ２０８は、有効にされ得、ＷＬＡＮトランシーバ２０２は、無効にされ得る。期間４０８など、複数の拡張されたブロードキャストタイムスロットの間の時間期間中、ＷＬＡＮトランシーバ２０２は、有効にされ得、ＡＮＴトランシーバ２０８は、無効にされ得る。共存マネージャ２１８は、ＡＮＴトランシーバ２０８からの拡張されたブロードキャストタイムスロット持続期間を決定することができる。
【００５６】
[0063]共存マネージャ２１８が、拡張されたブロードキャストタイムスロットが閾値を超える持続期間を有することを決定するとき、ＷＬＡＮトランシーバ２０２は、省電力モードを起動して（invoke）優雅に動作を一時停止する（suspend）ために一時的なアクセスを許可され得る。たとえば、ＷＬＡＮトランシーバ２０２は、アクセスポイント１０６が、ワイヤレス通信デバイス１０２へ送信されるデータをバッファするように設定された電力管理ビットを有する管理フレームを送信することができる。共存マネージャ２１８は、その後、拡張されたブロードキャストタイムスロット持続期間に対応する時間期間の間、ＡＮＴトランシーバ２０８へのアクセスを許可することができる。ＷＬＡＮトランシーバ２０２が、再びアクセスを許可されるとき、ＷＬＡＮトランシーバ２０２は、バッファされたデータのためにアクセスポイント１０６をポーリングする（poll）ことができる。
【００５７】
[0064]閾値を上回る拡張されたブロードキャストタイムスロットを有する、バースト動作モードにおけるＷＬＡＮトランシーバ２０２とＡＮＴトランシーバ２０８との間の共存の模式的な表現が、図５に示される。来たるべき（upcoming）拡張されたブロードキャストタイムスロット５０２の存在を決定すると、共存マネージャ２１８は、省電力モードへのエントリを伝達する（communicate entry to a power save mode）ために、期間５０４の間、ＷＬＡＮトランシーバ２０２を有効にすることができる。次に、拡張されたブロードキャストタイムスロット５０２に対応する時間期間の間、ＡＮＴトランシーバ２０８は、有効にされ得、ＷＬＡＮトランシーバ２０２は、無効にされ得る。拡張されたブロードキャストタイムスロット５０２に続いて、共存マネージャ２１８は、ブロードキャスト間隔５０８の残りの持続期間に対応する期間５０６の間、ＷＬＡＮトランシーバ２０２を有効にし、ＡＮＴトランシーバ２０８を無効にすることができる。共存マネージャ２１８の動作は、後続のデフォルトのブロードキャストタイムスロット５１０の間、上述のように継続するか、または、共存マネージャ２１８が、別の拡張されたブロードキャストタイムスロットの存在を決定する場合、ルーチンが繰り返され得る。
【００５８】
[0065]さらに別の実施形態では、共存マネージャ２１８は、ＡＮＴトランシーバ２０８が、スキャン動作モードに関連付けられる動作モードにあることを決定するように構成され得る。上述のように、ＡＮＴトランシーバ２０８は、低電力デバイス１０４など、別のＡＮＴデバイスのブロードキャスト送信に関するタイミング情報を有さないことがある。したがって、ＡＮＴトランシーバ２０８は、その送信を受信するために低電力デバイス１０４のブロードキャスト送信と重なり合わせて、ＡＮＴリンクを形成するために同期するのに、十分な時間期間の間、すべてのチャネルをスキャンすることができる。共存マネージャ２１８が、ＷＬＡＮシステムが高められた優先権を必要としないことを決定するとき、それぞれのシステムは、交互の時間期間の間有効にされ得、その結果、ブロードキャスト送信の周波数に対応する時間の第１の持続期間が、ＡＮＴトランシーバ２０８に割り振られ得る。たとえば、上述したように、２５０ｍｓのブロードキャスト間隔が与えられると、共存マネージャ２１８は、約２６０ｍｓなど、この期間に重なり合うように構成される第１の持続期間で時間期間を割り振ることができる。同様に、共存マネージャ２１８は、第２の持続期間の時間をＷＬＡＮトランシーバ２０２に割り振ることができる。第２の時間期間の持続期間は、所望の性能のバランスを提供するように適合され（tailored）得る。一態様では、２５０ｍｓなど、同様の持続期間を割り振ることによって、比較的均一な重み（relatively even weight）が、ＷＬＡＮトランシーバ２０６に与えられ得る。しかしながら、必要に応じ、対応するレベルの性能を得るために、より多い、またはより少ない時間が、ＷＬＡＮシステムに割り振られ得る。
【００５９】
[0066]ＡＮＴシステムおよびＷＬＡＮシステムに付与される相対的に同等な優先権を有するスキャン動作モードにおけるＷＬＡＮトランシーバ２０２とＡＮＴトランシーバ２０８との間の共存の模式的な表現が、図６に示される。示されるように、共存マネージャ２１８は、ブロードキャスト間隔６０６および６０８に対応する第１の持続期間を有する時間期間６０２および６０４の間、ＡＮＴトランシーバ２０８を有効にし、ＷＬＡＮトランシーバ２０２を無効にすることができる。期間６１０など、第２の持続期間を有する交互の時間期間中、ＷＬＡＮトランシーバ２０２は、有効にされ得、ＡＮＴトランシーバ２０８は、無効にされ得る。したがって、ブロードキャスト間隔６０６に関して示されるように、ブロードキャスト送信のタイミングが、ＷＬＡＮトランシーバ２０２に割り振られるウィンドウにおいて比較的早く生じる場合、ブロードキャスト間隔以下の第２の持続期間は、後続のブロードキャスト送信が、期間６０４など、ＡＮＴトランシーバ２０８に割り振られるウィンドウ中に生じることを確実にするのを助ける。さらに、ブロードキャスト間隔よりもわずかに長い第１の持続期間の使用は、ブロードキャスト間隔６０８によって示されるように、任意の隣接する一対における少なくとも１つのブロードキャスト送信が、ＡＮＴトランシーバ２０８に割り振られるウィンドウ内に入る（fall within）ことを確実にするのを助ける。
【００６０】
[0067]共存マネージャ２１８が、ＷＬＡＮシステムに高められた優先権を与える（accord）ことが望ましい可能性があると決定するとき、より短い持続期間の交互の期間（alternating periods）が採用され得る。ＷＬＡＮシステムは、マルチメディアストリーミング、またはそうでなければ保障されたものなど、レイテンシに敏感な通信（latency sensitive communications）中のサービス品質（ＱｏＳ）を改善するために、高められた優先権を許可され得る。これらの条件下では、ＡＮＴブロードキャスト間隔に関連付けられる全体の時間の間、ＷＬＡＮ動作を一時停止することが望ましくないことがある。共存マネージャ２１８は、たとえば、２５ｍｓなど、ＡＮＴシステムとＷＬＡＮシステムとの間のより短い交互の時間期間（alternating periods of time）を提供することができる。任意の好適な持続時間が採用され得、その結果、より短い持続期間は、ＷＬＡＮの性能を改善することができ、より長い持続期間は、ＡＮＴブロードキャスト送信との重なりを達成するために必要な時間を減少させることができる。複数のＡＮＴブロードキャスト送信を見逃す（missing）可能性を減少させるために、共存マネージャ２１８は、ブロードキャスト間隔に対応する期間など、好適な時間でＡＮＴシステムとＷＬＡＮシステムとの間の時分割割り振り（time division allocation）の位相をシフトするように構成され得る。第１のブロードキャスト送信が、ＷＬＡＮシステムに割り振られる時間期間中に生じる場合、位相をシフトすることによって、次のブロードキャスト送信は、ＡＮＴシステムに割り振られる時間期間中に生じることができる。
【００６１】
[0068]ＷＬＡＮシステムに付与される高められた優先権を有するスキャン動作モードにおけるＷＬＡＮトランシーバ２０２とＡＮＴトランシーバ２０８との間の共存の模式的な表現が、図７に示される。示されるように、共存マネージャ２１８は、期間７０２、７０４、および７０６など、交互の時間期間の間、ＡＮＴトランシーバ２０８を有効にし、ＷＬＡＮトランシーバ２０２を無効にすることができる。同様に、共存マネージャ２１８は、期間７０８および７１０など、相補的な時間期間（complementary periods of time）の間、ＷＬＡＮトランシーバ２０２を有効にし、ＡＮＴトランシーバ２０８を無効にすることができる。時間期間は、全体のＡＮＴブロードキャスト送信を受信する妥当な可能性を提供するために、たとえば、２５ｍｓなど、好適な持続期間を有することができる。持続期間は、上述のようなＷＬＡＮシステムとＡＮＴシステムとの間の性能のバランスを変えるために調整もされ得る。さらに、サイクルを有効および無効にする位相は、位相シフト７１４におけるように、位相間隔７１２の後、シフトされ得る。必要に応じ、位相間隔の持続期間は、ブロードキャスト間隔とおよそ同じとすることができる。したがって、ＷＬＡＮトランシーバ２０２が有効にされ、ＡＮＴトランシーバ２０８が無効にされるとき、第１のブロードキャスト送信７１６が期間７１０中に生じる場合でも、後続の第２のブロードキャスト送信７１８は、ブロードキャスト間隔７２０の後、生じることができる。位相シフト７１４に因り、第２のブロードキャスト送信７１８は、共存マネージャ２１８が、ＡＮＴトランシーバ２０８を有効にし、ＷＬＡＮトランシーバ２０２を無効にしたとき、期間７０６中に生じ、第２のブロードキャスト送信７１８がＡＮＴシステムによって受信されることを可能にする。
【００６２】
[0069]ＡＮＴシステムの動作モードに基づいて、ＷＬＡＮトランシーバ２０２およびＡＮＴトランシーバ２０８を選択的に有効および無効にする共存マネージャ２１８を採用するための本開示の技術の１つの好適な例が、図８のフローチャートによって表される。ステップ８０２から始めて、共存マネージャ２１８は、ＡＮＴトランシーバ２０８の動作モードに関する情報を決定することができる。対応して、ステップ８０４では、共存マネージャは、この動作モードに基づいて、ＷＬＡＮトランシーバ２０２およびＡＮＴトランシーバ２０８を有効および無効にすることができる。
【００６３】
[0070]現在好適である実施形態について本明細書で説明した。しかしながら、本開示の原理が適切な修正を加えて他の適用例に容易に拡張され得ることを、本発明に関係する当業者は理解されよう。
【図１】
2016511996.tif 000003
【図２】
2016511996.tif 000004
【図３】
2016511996.tif 000005
【図４】
2016511996.tif 000006
【図５】
2016511996.tif 000007
【図６】
2016511996.tif 000008
【図７】
2016511996.tif 000009
【図８】
2016511996.tif 000010
【国際調査報告】
2016511996.tif 000011
2016511996.tif 000012
2016511996.tif 000013